(57)【要約】【課題】組み付けを容易化、迅速化し、規則的に連続する凹凸のパネル壁面を際立たせて、快適で落ち着いたデザインの空間を創成可能にする。【解決手段】パネル本体１２に、同一平面内において連続する複数の凸部１５と凹部１４とを有し、前記凸部１５の前面には、化粧カバー１３を連結するための嵌合突条１７が設けられ、前記パネル本体１２の両端部には、隣接部材２７、３５を連結するための嵌合部１９、２２が一体に形成されてなる。【選択図】図１
0003123372.tif 000002
【実用新案登録請求の範囲】
【請求項１】
建築物の壁面に沿って配置されるパネル本体と、
該パネル本体の前面に装着される化粧カバーとを備えるパネル装置であって、
前記パネル本体は、同一平面内において連続する複数の凸部と凹部とを有し、
前記凸部の前面には、前記化粧カバーを連結するための嵌合突条が設けられ、
前記パネル本体の両端部には、隣接部材を連結するための嵌合部が一体に形成されてなることを特徴とするパネル装置。
【請求項２】
前記パネル本体の一端部に連結される前記隣接部材が、パネル設置の開始端となるスターティングパネルであることを特徴とする請求項１に記載のパネル装置。
【請求項３】
前記パネル本体の他端部に連結される前記隣接部材が、パネル設置の終端となるエンディングパネルであることを特徴とする請求項１に記載のパネル装置。
【請求項４】
前記パネル本体の一端部または／および他端部に連結される前記隣接部材が、前記パネル本体と同一形態のパネル本体であることを特徴とする請求項１に記載のパネル装置。
【考案の詳細な説明】
【技術分野】
【０００１】
本考案は、室内の壁面や柱に沿って取り付けられ、凹凸の壁面パネルを持つ、室内空間を創成するためのパネル装置に関する。
【背景技術】
【０００２】
今日では、建築物の室内に設置される壁面パネルとして、金属板やプラスチック板が広く用いられている。この壁面パネルは、建築物の施工現場に搬入されて、そのまま壁面や柱の所定の設置場所に、ボルト・ナットや各種の締結具を用いて取り付けられる。
【０００３】
この壁面パネルは、施工性およびデザイン性が良好であるところから建築物一般の内装材として広く利用され、工期の短縮化とローコスト化にも寄与している。また、この壁面パネルは、例えばフラットなパネル本体と、このパネル本体の周縁を直角に折り曲げて形成したフランジ部とから構成されている（例えば、特許文献１参照）。
【０００４】
この壁面パネルによれば、施工現場において前記フランジ部を壁面や柱に固定したり、複数のパネル本体のフランジ部を連結したりすることにより、必要とするサイズ、デザインの空間を創成することができる。
【特許文献１】特開平６−１３６９０８号公報
【考案の開示】
【考案が解決しようとする課題】
【０００５】
しかしながら、従来の壁面パネルは、大型でフラットなパネル本体をそのまま、または複数枚を連結したものを、壁面や柱に取り付けるという構成となるため、全体として平坦な壁面に囲まれた無機質な空間となってしまい、居心地が良くないという不都合があった。また、フランジ部の壁面への取り付けやフランジ部どうしの連結に、多数の締結具による煩雑な取り付け作業が必要になり、壁面パネルの組み付けの作業能率が極めて悪いという不都合があった。
【０００６】
本考案は、前記のような従来の問題を解決するものであり、容易、迅速に壁面パネルの組み付けを行えるとともに、規則的に連続するパネル壁の凹凸面を際立たせることにより、快適で落ち着いたデザインの空間を容易に創成できるパネル装置を提供することを目的とする。
【課題を解決するための手段】
【０００７】
前記目的達成のために、本考案にかかるパネル装置は、建築物の壁面に沿って配置されるパネル本体と、該パネル本体の前面に装着される化粧カバーとを備えるパネル装置であって、前記パネル本体は、同一平面内において連続する複数の凸部と凹部とを有し、前記凸部の前面には、前記化粧カバーを連結するための嵌合突条が設けられ、前記パネル本体の両端部には、隣接部材を連結するための嵌合部が一体に形成されてなることを特徴とする。
【０００８】
この構成により、パネル本体の両側に、締結具を用いないで他の隣接部材を簡単に連結でき、これらの一部のみをねじなどの締結具を用いて壁面や柱に簡単に取り付けることができる。また、パネル本体には、化粧カバーが嵌め込まれるため、凹凸面がストライプ状に際立ち、真っ直ぐに延びる美しい外観のパネル壁面と変化のある空間を創生することができる。さらに、この化粧カバーに施される意匠によって、パネル壁面に新規なデザインを表すことができる。
【０００９】
また、本考案にかかるパネル装置は、前記パネル本体の一端部に連結される前記隣接部材が、パネル設置開始端となるスターティングパネルであることを特徴とする。
【００１０】
この構成により、パネル本体のパネル設置開始端における外観を、スターティングパネルおよびこれに装着される化粧カバーによって、美しく収めることができる。
【００１１】
また、本考案にかかるパネル装置は、前記パネル本体の他端部に連結される前記隣接部材が、パネル設置の終端となるエンディングパネルであることを特徴とする。
【００１２】
この構成により、パネル本体のパネル設置終端における外観を、エンディングパネルおよびこれに装着される化粧カバーによって、美しく収めることができる。
【００１３】
また、本考案にかかるパネル装置は、前記パネル本体の一反部または／および他端部に連結される前記隣接部材が、前記パネル本体と同一形態のパネル本体であることを特徴とする。
【００１４】
この構成により、パネル本体どうしの連結によって、ストライプ状の凹凸模様を有するパネル壁面を、任意のサイズに容易に拡張することができる。
【考案の効果】
【００１５】
本考案は、パネル本体に、同一平面内において連続する複数の凸部と凹部とを設け、前記凸部の前面には、化粧カバーを連結するための嵌合突条を設け、前記パネル本体の両端部には、隣接部材を連結するための嵌合部を一体に形成したことにより、締結具を用いないで、パネル本体の両側に他の隣接部材を簡単に連結でき、また、これらの一部のみをねじなどの締結具を用いて壁面や柱に簡単に取り付けることができる。また、パネル本体には、化粧カバーが嵌め込まれるため、凹凸面がストライプ状に際立ち、真っ直ぐに延びる美しい外観のパネル壁面と変化のある空間を創生することができるという利点が得られる。
【考案を実施するための最良の形態】
【００１６】
以下に、本考案の実施形態を、図面を参照しながら説明する。
図１は、本考案の実施形態によるパネル装置の全体を示す斜視図である。このパネル装置１１は、建築物の壁面や柱に沿って設置されるパネル本体１２と、このパネル本体１２の前面に取り付けられた複数の化粧カバー１３とからなる。
【００１７】
これらのうち、パネル本体１２は、図２に示すように、アルミ材や鋼材、あるいはプラスチック材によって、複数の凹部１４および凸部１５が連続する形態に、形成されている。前記凸部１５は前方に突出する形状であり、この凸部１５の前面には、嵌合溝１６を持つ一対の嵌合突条１７が、この凸部１５の長手方向に並設されている。
なお、図２では、６個の凸部１５と５個の凹部１４とが、交互に連続するように一体に設けられている。
【００１８】
一方、１個おきの前記凹部１４の背面側には、支持片１８が突設されている。これらの支持片１８は、パネル本体の全体を図示しない壁面に対し支持するように機能する。この結果、複数の凸部１５の前面を一つの平面内に収めることができるとともに、パネル壁全体の支持強度を高めることができる。
なお、各支持片１８端は、壁面との接触面積を大きくして、さらに支持強度を高めるために、Ｌ字状に屈曲されている。
【００１９】
また、前記パネル本体１２のパネル設置開始端側には、略Ｌ字状の嵌合部１９が、凸部１５の基部に連続するように設けられている。この嵌合部１９には、両端部に嵌合突条２０、２１が形成されている。
【００２０】
さらに、前記パネル本体１２のパネル設置終端側には、ねじ止め片を兼ねる略コ字状の嵌合部２２が、凸部１５に連続するように設けられている。
この嵌合部２２は基部に嵌合溝２３が形成され、先端部に直角断面形状の係止溝２４が形成されている。
【００２１】
前記嵌合部２２の前面中央にはＶ字溝２２ａが形成されている。このＶ字溝２２ａは嵌合部２２に弾性を付与するとともに、ねじの嵌合部２２に対するねじ込みを容易にしている。
なお、嵌合部１９、２２は、後述のスターティングパネルおよびエンディングパネルパネルを連結するために、また、前記パネル本体１２と同等の他のパネル本体とを連結するために、用いられる。
【００２２】
図３は、パネル本体１２の凸部１５に装着可能な前記化粧カバー１３を示す平面図である。この化粧カバー１３は、前記凸部１５と略同等の長さを有し、断面が略コ字状のコ字状部２５と、このコ字状部２５両端の、互いに対向する部位に突出する嵌合突状２６とを有する。
【００２３】
これらの嵌合突条２６は、前記凸部１５上の、前記嵌合突条１７の嵌合溝１６に嵌合可能とされている。なお、この嵌合のための操作を容易にするために、化粧カバー１３は、手操作で容易に撓み得る材質（金属やプラスチックなど）および厚みに形成される。
【００２４】
図４は、隣接部材としての前記スターティングパネル２７を示す平面図である。このスターティングパネル２７は、凸部２８と、この凸部２８に連接された略コ字状の嵌合片２９とからなる。これらのうち、凸部２８の前面には、嵌合溝３０を持つ一対の嵌合突条３１が、その凸部２８の長手方向に並設されている。
また、凸部２８を形成する側片３２は、凸部２８の前記壁面に対する支持片になるとともに、加工面が良好な化粧片にもなっている。
【００２５】
前記嵌合片２９の基部には嵌合溝３３が形成されており、先端部に直角断面形状の係止溝３４が形成されている。なお、嵌合片２９の後端面と側片３２の後端とは、壁面に同時に接触可能となるように同一平面内に位置する。嵌合片２９の前面側にはＶ字溝２９ａが形成されており、このＶ字溝２９ａにねじを通すことで、この嵌合片２９に弾性を付与するとともに、嵌合片２９の壁面に対するねじ込みを容易にしている。
【００２６】
このスターティングパネル２７は、図２に示すように、嵌合溝３３を嵌合部１９の嵌合突条２０に嵌合し、係止溝３４を嵌合部１９の嵌合突条２１に嵌合することにより、パネル本体１２のパネル設置開始端に簡単に連結することができる。このため、これらの連結にねじなどの締結具を用いる必要はない。
【００２７】
また、このスターティングパネル２７の凸部２８に形成された嵌合突条３１には、図３に示すような化粧カバー１３の嵌合突条２６を、前記同様に嵌合することができる。これにより、このスターティングパネル２７に対しても、パネル本体１２上の化粧カバー１３に並ぶように、化粧カバー１３が同等の間隔にて配置される。
【００２８】
図５は、隣接部材としての前記エンディングパネル３５を示す平面図である。このエンディングパネル３５は、凸部３６と、この凸部３６に連続する略Ｌ字状の嵌合片３７および支持片３８とからなる。
これらのうち、凸部３６の前面には、嵌合溝３９を持つ一対の嵌合突条４０が、その凸部３６の長手方向に並設されている。また、Ｌ字状の嵌合片３７には両端部に嵌合突条４１、４２が形成されている。
【００２９】
凸部３６の側面部（右側面部）およびこれに連続する支持片３８は化粧片をなす。嵌合突条４２後端は支持片３８の先端とともに同一平面内にあり、共に壁面に当接可能になっている。嵌合片３７には矩形溝３７ａが設けられており、これが嵌合片３７に弾性を付与している。
【００３０】
このエンディングパネル３５は、図２に示すように、嵌合突条４１を嵌合部２２の嵌合溝２３に嵌合させ、嵌合突条４２を嵌合部２２の係止溝２４に係止させることにより、パネル本体１２のパネル設置終端側に簡単に連結することができる。
【００３１】
また、このエンディングパネル３５の凸部１６に形成された嵌合突条４０には、図３に示す化粧カバー１３の嵌合突条２６を前記同様に嵌合することができる。これにより、このエンディングパネル３５に対しても、パネル本体１２上の化粧カバー１３に並ぶように、化粧カバー１３が同等の間隔にて配置される。
【００３２】
なお、前記においては、パネル本体１２の両端にスターティングパネル２７およびエンディングパネル３５をそれぞれ連設したパネル装置について説明したが、この構成を基本に種々の変形が可能である。例えば、パネル本体１２とスターティングパネル２７およびエンディングパネル３５との間に、デザインパネルを介在させて、これに模様や色彩などを施した化粧カバー１３を装着することもできる。
【００３３】
このように構成されたパネル装置では、縦方向に長い複数の凸部１５が化粧カバー１３とともに深い凹凸面を持つストライプ模様の壁面を形成する。このため、単に平坦な従来の壁面とは異なる、快適で、落ち着いたデザイン壁を持つ空間を創成することができる。
【００３４】
また、この空間創成のためのパネル本体１２の組み立ておよび化粧カバー１３の取り付け作業が、主に各部材の嵌め合わせ作業になるため、パネル装置を効率的かつローコストに組み付けることができる。
さらにパネル本体（主に側面部）１２や化粧カバー１３に新規な模様、色彩などを施すことにより、室内に美しい装飾空間を創成できる。
【００３５】
図６は、図２に示したパネル装置１１の変形例を示す。このパネル装置は、パネル本体４３がプラスチックにより角筒状に成形され、このパネル本体４３の角筒部４４の背面に、図２に示したものと同様の嵌合部１９Ａ、２２Ａを設けたものである。従って、図２に示したものと同一の構成部分には、同一符号を付して、その重複する説明を省略する。
【００３６】
このパネル装置では、嵌合片１９Ａに対し、左右方向に隣接される他のパネル本体の嵌合片２２Ａを嵌合し、この嵌合片２２Ａに対し他のパネル本体の嵌合片１９Ａを嵌合することにより、複数のパネル本体を左右方向に並設できる。従って、縦ストライプ状のパネル壁を持つ空間を、前記同様に簡単に創成できる。
【００３７】
図７はおよび図８は、例えばデザインパネル間に介装されるレールを示す斜視図及び拡大平面図である。このレールは角筒部５０の背面に嵌合部５１と角筒部５２を連接したものからなり、角筒部５２の前部には角筒部材５３が嵌合されている。角筒部５０と角筒部材５３は互いに対称形状をなし、互いに対向する面側に、レールの長手方向に等間隔となる、複数の長孔Ｈをそれぞれ有する。
【００３８】
また、嵌合部５１と、角筒部５２および角筒部材５３とには、それぞれねじがねじ込まれ、各ねじにより壁面に前記レールを確実に固定可能にしている。なお、角筒部５０および角筒部材５３の前部には化粧カバー取り付け用の嵌合突条５５、５６が設けられている。
【００３９】
また、これらの各角筒部５０と角筒部材５３との間には、棚受けブラケット５４の基部を挿入および保持するための間隙Ｇが設けられている。この棚受けブラケット５４は、少なくとも２本のレールにそれぞれ保持されて、商品陳列用等の棚板の左右両端部を支承するように機能する。
【００４０】
なお、前記間隙Ｇに対する棚受けブラケット５４の基部の保持は、周知の構成が採用可能である。また、図示していないが、前記化粧カバーの幅や長さ、更には形状（例えば、平板状、波形、凹凸状など）は、任意に選択および採用することができる。
【００４１】
以上のように、本実施形態にあっては、パネル本体に、同一平面内において連続する複数の凸部と凹部とを設け、前記凸部の前面には、前記化粧カバーを連結するための嵌合突条を設け、前記パネル本体の両端部に、隣接部材を連結するための嵌合部を一体に形成したことにより、締結具を用いないで、パネル本体の両側に他の隣接部材を簡単に連結できる。また、パネル本体には、化粧カバーが嵌め込まれるため、凹凸面がストライプ状に際立ち、真っ直ぐに延びる美しい外観のパネル壁面と変化のある空間を創生することができるという利点が得られる。
【産業上の利用可能性】
【００４２】
本考案は、パネル本体の両側に、ねじなどの締結具を用いないで他の隣接部材を簡単に連接でき、これらの一部のみを締結具を用いて壁面や柱に固定するだけで、凹凸面が際立つパネル壁面および変化のある空間を容易に創成することができるという効果を有し、室内の壁面や柱を被うように取り付けられて、凹凸のパネル壁面を持つ、落ち着いた室内空間を創成することができるパネル装置等に有用である。
【図面の簡単な説明】
【００４３】
【図１】本考案の実施形態によるパネル装置の全体斜視図である。
【図２】本考案の実施形態によるパネル装置を拡大して示す平面図である。
【図３】図２に示す化粧カバーの拡大平面図である。
【図４】図２に示すスターティングパネルの拡大平面図である。
【図５】図２に示すエンディングパネルの拡大平面図である。
【図６】本考案の他の実施形態によるパネル本体を示す平面図である。
【図７】本考案に用いられるレールを示す斜視図である。
【図８】図７に示レールの拡大平面図である。
【符号の説明】
【００４４】
１１…パネル装置、１２…パネル本体、１３…化粧カバー、１４…凹部、  １５…凸部、１６…嵌合溝、１７…嵌合突状、１９…嵌合片、２０，２１…嵌合突条、２２…接合片、２３…嵌合溝、２４…係止溝、２６…嵌合突条、２７…スターティングパネル、２８…凸部、２９…嵌合片、３１…嵌合突条、３３…嵌合溝、３４…係止溝、３５…エンディングパネル、３７…嵌合片、３７ａ…矩形溝、４１、４２…嵌合突条、４３…パネル本体、４４…嵌合突条
【図１】
0003123372.tif 000003
【図２】
0003123372.tif 000004
【図３】
0003123372.tif 000005
【図４】
0003123372.tif 000006
【図５】
0003123372.tif 000007
【図６】
0003123372.tif 000008
【図７】
0003123372.tif 000009
【図８】
0003123372.tif 000010